【手続補正書】
【提出日】平成23年12月9日(2011.12.9)
【手続補正１】
【補正対象書類名】特許請求の範囲
【補正対象項目名】全文
【補正方法】変更
【補正の内容】
【特許請求の範囲】
【請求項１】
それぞれ表示すべき画像光を対応する眼球に向けて出射する複数の接眼光学部と、
該複数の接眼光学部を保持し、観察者の頭部に着脱自在に装着可能な頭部装着部とを有し、
前記頭部装着部は、前記観察者の頭部に装着された状態で、前記複数の接眼光学部の各出射光軸が、それぞれ対応する眼球のほぼ眼球回旋中心を通り、かつ、前記観察者の眼球の回転により一の前記接眼光学部の出射光軸が対応する眼球の瞳孔を通る状態で、他の前記接眼光学部の出射光軸が対応する眼球の瞳孔の外側を通るように、前記複数の接眼光学部を保持する、
ことを特徴とする頭部装着型画像表示装置。
【請求項２】
前記頭部装着部は、前記複数の接眼光学部における一の出射光軸と他の出射光軸との成す角度が、約２３度以上となるように、前記複数の接眼光学部を保持する、
ことを特徴とする請求項１に記載の頭部装着型画像表示装置。
【請求項３】
前記複数の接眼光学部は、前記頭部装着部が前記観察者の頭部に装着された状態で、前記観察者の左眼に対応する左眼用接眼光学部および右眼に対応する右眼用接眼光学部を有する、
ことを特徴とする請求項１または２に記載の頭部装着型画像表示装置。
【請求項４】
前記左眼用接眼光学部および前記右眼用接眼光学部の少なくともどちらか一方は、上下方向に離間して保持された上側接眼光学部および下側接眼光学部を有する、
ことを特徴とする請求項３に記載の頭部装着型画像表示装置。
【請求項５】
前記左眼用接眼光学部および前記右眼用接眼光学部の少なくともどちらか一方は、左右方向に離間して保持された左側接眼光学部および右側接眼光学部を有する、
ことを特徴とする請求項３または４に記載の頭部装着型画像表示装置。
【請求項６】
前記複数の接眼光学部は、前記頭部装着部が前記観察者の頭部に装着された状態で、前記観察者の左眼に対応する左眼用接眼光学部または右眼に対応する右眼用接眼光学部のどちらか一方を有する、
ことを特徴とする請求項１または２に記載の頭部装着型画像表示装置。
【請求項７】
前記左眼用接眼光学部または前記右眼用接眼光学部は、上下方向に離間して保持された上側接眼光学部および下側接眼光学部を有する、
ことを特徴とする請求項６に記載の頭部装着型画像表示装置。
【請求項８】
前記左眼用接眼光学部または前記右眼用接眼光学部は、左右方向に離間して保持された左側接眼光学部および右側接眼光学部を有する、
ことを特徴とする請求項６に記載の頭部装着型画像表示装置。
【請求項９】
前記複数の接眼光学部の各々における観察者の視軸方向への投影断面の幅を、４ｍｍ以下とした、
ことを特徴とする請求項１乃至８のいずれか一項に記載の頭部装着型画像表示装置。
【請求項１０】
前記複数の接眼光学部の各々は、画像光を導光する棒状導光部の出射端部に保持されている、
ことを特徴とする請求項１乃至９のいずれか一項に記載の頭部装着型画像表示装置。
【請求項１１】
前記複数の棒状導光部の各々における観察者の視軸方向への投影断面の幅を、４ｍｍ以下とした、
ことを特徴とする請求項１０に記載の頭部装着型画像表示装置。
【請求項１２】
前記頭部装着部は、眼鏡フレームからなる、
ことを特徴とする請求項１乃至１１のいずれか一項に記載の頭部装着型画像表示装置。
【手続補正２】
【補正対象書類名】明細書
【補正対象項目名】００１３
【補正方法】変更
【補正の内容】
【００１３】
上記目的を達成する請求項１に係る頭部装着型画像表示装置の発明は、
それぞれ表示すべき画像光を対応する眼球に向けて出射する複数の接眼光学部と、
該複数の接眼光学部を保持し、観察者の頭部に着脱自在に装着可能な頭部装着部とを有し、
前記頭部装着部は、前記観察者の頭部に装着された状態で、前記複数の接眼光学部の各出射光軸が、それぞれ対応する眼球のほぼ眼球回旋中心を通り、かつ、前記観察者の眼球の回転により一の前記接眼光学部の出射光軸が対応する眼球の瞳孔を通る状態で、他の前記接眼光学部の出射光軸が対応する眼球の瞳孔の外側を通るように、前記複数の接眼光学部を保持する、
ことを特徴とするものである。
【手続補正３】
【補正対象書類名】明細書
【補正対象項目名】００１５
【補正方法】変更
【補正の内容】
【００１５】
請求項３に係る発明は、請求項１または２に記載の頭部装着型画像表示装置において、
前記複数の接眼光学部は、前記頭部装着部が前記観察者の頭部に装着された状態で、前記観察者の左眼に対応する左眼用接眼光学部および右眼に対応する右眼用接眼光学部を有する、
ことを特徴とするものである。
【手続補正４】
【補正対象書類名】明細書
【補正対象項目名】００１６
【補正方法】変更
【補正の内容】
【００１６】
請求項４に係る発明は、請求項３に記載の頭部装着型画像表示装置において、
前記左眼用接眼光学部および前記右眼用接眼光学部の少なくともどちらか一方は、上下方向に離間して保持された上側接眼光学部および下側接眼光学部を有する、
ことを特徴とするものである。
さらに、請求項５に係る発明は、請求項３または４に記載の頭部装着型画像表示装置において、
前記左眼用接眼光学部および前記右眼用接眼光学部の少なくともどちらか一方は、左右方向に離間して保持された左側接眼光学部および右側接眼光学部を有する、
ことを特徴とするものである。
【手続補正５】
【補正対象書類名】明細書
【補正対象項目名】００１７
【補正方法】変更
【補正の内容】
【００１７】
請求項６に係る発明は、請求項１または２に記載の頭部装着型画像表示装置において、
前記複数の接眼光学部は、前記頭部装着部が前記観察者の頭部に装着された状態で、前記観察者の左眼に対応する左眼用接眼光学部または右眼に対応する右眼用接眼光学部のどちらか一方を有する、
ことを特徴とするものである。
さらに、請求項７に係る発明は、請求項６に記載の頭部装着型画像表示装置において、
前記左眼用接眼光学部または前記右眼用接眼光学部は、上下方向に離間して保持された上側接眼光学部および下側接眼光学部を有する、
ことを特徴とするものである。
さらに、請求項８に係る発明は、請求項６に記載の頭部装着型画像表示装置において、
前記左眼用接眼光学部または前記右眼用接眼光学部は、左右方向に離間して保持された左側接眼光学部および右側接眼光学部を有する、
ことを特徴とするものである。
【手続補正６】
【補正対象書類名】明細書
【補正対象項目名】００１８
【補正方法】変更
【補正の内容】
【００１８】
請求項９に係る発明は、請求項１乃至８のいずれか一項に記載の頭部装着型画像表示装置において、
前記複数の接眼光学部の各々における観察者の視軸方向への投影断面の幅を、４ｍｍ以下とした、
ことを特徴とするものである。
【手続補正７】
【補正対象書類名】明細書
【補正対象項目名】００１９
【補正方法】変更
【補正の内容】
【００１９】
請求項１０に係る発明は、請求項１乃至９のいずれか一項に記載の頭部装着型画像表示装置において、
前記複数の接眼光学部の各々は、画像光を導光する棒状導光部の出射端部に保持されている、
ことを特徴とするものである。
【手続補正８】
【補正対象書類名】明細書
【補正対象項目名】００２０
【補正方法】変更
【補正の内容】
【００２０】
請求項１１に係る発明は、請求項１０に記載の頭部装着型画像表示装置において、
前記複数の棒状導光部の各々における観察者の視軸方向への投影断面の幅を、４ｍｍ以下とした、
ことを特徴とするものである。
【手続補正９】
【補正対象書類名】明細書
【補正対象項目名】００２１
【補正方法】変更
【補正の内容】
【００２１】
請求項１２に係る発明は、請求項１乃至１１のいずれか一項に記載の頭部装着型画像表示装置において、
前記頭部装着部は、眼鏡フレームからなる、
ことを特徴とするものである。